(57)【要約】【課題】クリーンルーム等の気密性を要求される空間において、仕上材の開口部とこの 開口部に挿通される貫通部材との間を確実に気密に保持することができる貫通部仕舞部材であって製作および施工が容易なものを提供することを課題とする。【解決手段】仕上材の開口部３とこの開口部に貫通される貫通部材１との間を気密に保持するための貫通部仕舞部材であって、貫通部材を挿入する筒状部と、筒状部の端部に平板状の挫部を有する仕舞プレート１０と、仕舞プレートの筒状部と貫通部材の間に挿嵌される筒状部と、仕舞プレートの挫部と仕上材の間に挿嵌される平板部を有する弾性体のガスケット２０からなることを特徴とする貫通部仕舞部材【選択図】図１
2018128087.tif 000002
【特許請求の範囲】
【請求項１】
仕上材の開口部とこの開口部に貫通される貫通部材との間を気密に保持するための貫通部仕舞部材であって、貫通部材の外周を被覆する弾性体のガスケットと該弾性体のガスケットを仕上材に固定する仕舞プレートとを備えており、
仕舞プレートは、貫通部材を挿入する筒状部と筒状部の端部に貫通穴を有する平板状の挫部を有し、
ガスケットは、仕舞プレートの筒状部と貫通部材の間に挿嵌される筒状部と、仕舞プレートの挫部と仕上材の間に挿嵌される貫通穴を有する平板部を有することを特徴とする貫通部仕舞部材
【請求項２】
仕舞プレートの筒状部は、挫部と反対の端部に向けて広がるＶ字の切り込みを複数有し、筒状部を内側に加締めることでガスケットと貫通部を圧着させることができることを特徴とする請求項１記載の貫通部仕舞部材
【発明の詳細な説明】
【技術分野】
【０００１】
本発明は、クリーンルーム等の気密性を要求される空間において、仕上材の開口部とこの開口部に挿通される貫通部材との間を、気密に保持するための貫通部仕舞部材に関するものである。
【背景技術】
【０００２】
塵埃、細菌、その他有害なものが空間の外部から内部に流入することや、あるいは内部で 発生したものが外部に流出することを防止することが要求される空間においては、その空間を形成する仕上材は、内外部間の気密性を有するものとする必要がある。
例えば、半導体や精密機器などの生産施設および研究施設、医 薬品や食品の生産施設および研究施設、病院の手術室や集中施設等、あるいは原子力施設などがある。 
そのような空間に必要な配管、ダクト、ケーブル等の貫通部材が、天井等の仕上材を貫通 する場合は、その貫通部は、仕上材と同様に内外部間の気密性が要求される。 
従来、このような仕上材貫通部の気密処理方法としては、図５に示すような方法が行わ れていた。 
すなわち、まず、配管１を天井下地から天井下に立ち下げる。
次いで、仕上材としての天井ボード２を用いた天井ボード張り、および天井面にクロスを貼るなどの天井仕上げを行う。 
次いで、天井ボード２の開口部３における天井ボード２と配管１との間に、バックアップ材４を、挿入する。 
次いで、天井ボード２の開口部３における天井ボード２と配管１との間に、シール材５を 充填してシールする。 
次いで、円環状の化粧プレート６を、接着剤または両面テープを用いて、天井ボード２の仕上面７に貼り付ける。
しかしながら、このような従来の仕上材貫通部の気密処理方法においては、天井ボード２ の厚さが２０ｍｍ程度であることから、天井ボード２の開口部３における天井ボード２と 配管１との間にバックアップ材４を挿入してシールを充填することが困難であるという問題があった。
このような問題を解決すべく先行文献１のような発明が、なされている。
先行文献１に記載の発明は、貫通部処理プレートは、筒状の貫通部材挟持部と、環状の挫部と、上記貫通部材挟持部の半径方向内方に突出するバックアップ材抜止め部を備えてなり、上記貫通部処理プレートの上記貫通部材挟持部と上記貫通部材との間に、弾性体からなる環状のバックアップ材を上記バックアップ材抜止め部に当接させて挟持させるとともに、上記貫通部処理プレートの上記挫部と上記仕上材の仕上面との間に、弾性体からなる環状のバックアップ材を介在させ、次いで上記貫通部処理プレートの上記貫通部材挟持部と上記貫通部材との間に、シール材を環状に充填するとともに、上記貫通部処理プレートの上記挫部と上記仕上材の仕上面との間に、シール材を環状に充填することを特徴とするものである。
しかしながら、先行文献１の発明においては、貫通部処理プレートの形状が複雑で製作および施工が難しいという点で改善の余地があった。
【先行技術文献】
【特許文献】
【０００３】
【特許文献１】特開２０００−２４０８５３号公報
【発明の概要】
【発明が解決しようとする課題】
【０００４】
本発明は、上記事情に鑑みなされたもので、確実に気密に保持することができる貫通部仕舞部材であって製作および施工が容易なものを提供することを課題とする。
【課題を解決するための手段】
【０００５】
上記目的を達成するために、本発明は次の２つを特徴とする。
（１）仕上材の開口部とこの開口部に貫通される貫通部材との間を気密に保持するための貫通部仕舞部材であって、貫通部材の外周を被覆する弾性体のガスケットと該弾性体のガスケットを仕上材に固定する仕舞プレートとを備えており、仕舞プレートは、貫通部材を挿入する筒状部と筒状部の端部に貫通穴を有する平板状の挫部を有し、ガスケットは、仕舞プレートの筒状部と貫通部材の間に挿嵌される筒状部と、仕舞プレートの挫部と仕上材の間に挿嵌される貫通穴を有する平板部を有することを特徴とする貫通部仕舞部材
（２）仕舞プレートの筒状部は、挫部と反対の端部に向けて広がるＶ字の切り込みを複数有し、筒状部を内側に加締めることでガスケットと貫通部を圧着させることができることを特徴とする（１）記載の貫通部仕舞部材。
【発明の効果】
【０００６】
本発明においては、確実に気密に保持することができる貫通部仕舞部材であって製作および施工が容易に出来る。
また、シールによる気密処理を行わないので、シール不備による気密処理の信頼性低下の問題を生じることがない。
【図面の簡単な説明】
【０００７】
【図１】本発明の仕上材貫通部の気密処理方法の実施の形態１を説明するための縦断面図である。
【図２】実施の形態１に係る仕舞プレートの斜視図である。
【図３】実施の形態１に係るガスケットの斜視図である。
【図４】実施の形態２に係る仕舞プレートの斜視図である。
【図５】従来の仕上材貫通部の気密処理方法のを説明するための縦断面図である。
【発明を実施するための形態】
【０００８】
以下、本発明の仕上材貫通部の気密処理方法の実施の形態を説明する。 なお、各図において、図５と同一構成要素には、同一符号を付してその説明を簡略化する。
【０００９】
（実施の形態１）
実施の形態１は、貫通部材を挿入する筒状部と、筒状部の端部に挫部を有する仕舞プレートと、仕舞プレートの筒状部と貫通部材の間に挿嵌される筒状部と、仕舞プレートの挫部と仕上材の間に挿嵌される平板部を有する弾性体のガスケットからなることを特徴とする発明の実施の形態である。 
図１、図２および図３は、実施の形態１を説明するための図である。
【００１０】
配管１を天井下地から天井下に立ち下げる。
仕上材としての天井ボード２を用いた天井ボード張り、および天井面にクロスを 貼るなどの天井仕上げを行う。 
次いで、図３のガスケット２０を配管１の下方から貫入し、ガスケットの挫部２１が天井の仕上げ面に接するまで挿入する。
【００１１】
ガスケット２０は、円環状の平板からなる挫部２１と、この挫部２１の内周より下方に向かって突出された円筒部２２とを備えている。
ガスケットの円筒部２２の内径は配管１の外径より若干小さいが、弾性があるため配管１に貫入することで拡張され密着する。
挫部２１の外径は、天井ボード２の開口部３の径より 大きい。
なお、ガスケットの挫部２１の外形は天井ボード２の開口部３よりも大きければ良く、円環状のみならず多角形等の形状でも良い。
また、ガスケットの円筒部２２は、ガスケットの加工が容易なよう配管貫入前は形成されておらず配管１密着したときに形成されるようにしても良い。
また、ガスケットは防虫、防菌、防ばいの処置を施しても良い。
【００１２】
次いで、図２の仕舞プレート１０を配管１の下方から貫入する。
仕舞プレート１０は、円環状の平板からなる挫部１１と、この挫部１１の内周より下方に向かって突出された円筒部１２とを備えている。
ガスケットの円筒部２２の外径は仕舞プレートの円筒部１２の内径より若干小さいので、ガスケットを上方に押し込むことなく仕舞プレートを装着できる
仕舞プレートの挫部１１の外径は、ガスケットの挫部２１の外径と同等であり、ほこり溜りが生じないようになっている。
なお、仕舞プレートは施工が容易なように半割り等で分割されていても良い。
また、仕舞プレートの挫部１１の外形は円環状のみならず多角形等でも良い。
また、仕舞部レートの円筒部１２は、より密着するように下方に向かって径が小さくなるテーパ状またはラッパ状でも良い。
【００１３】
次いで、仕舞プレートの挫部１１は、３か所以上のビス孔が空いており、ガスケット挫部が仕上げ面に密着するようビスで仕上げ面に固定する。
【００１４】
これにより、確実に気密に保持することができ、貫通部仕舞部材の製作および施工が容易に出来る。
【００１５】
（実施の形態２）
実施の形態２は、実施の形態１の仕舞プレートの筒状部が、挫部と反対の端部に向けて広がるＶ字の切り込みを複数有し、筒状部を内側に加締めることでガスケットと貫通部を圧着させることができることを特徴とする発明の実施の形態である。 
図１、図３および図４は、実施の形態２を説明するための図である。
【００１６】
配管１を天井下地から天井下に立ち下げる。
仕上材としての天井ボード２を用いた天井ボード張り、および天井面にクロスを貼るなどの天井仕上げを行う。 
次いで、図３のガスケット２０を配管１の下方から貫入し、ガスケットの挫部２１が天井の仕上げ面に接するまで挿入する。
【００１７】
ガスケット２０は、円環状の平板からなる挫部２１と、この挫部２１の内周より下方に向かって突出された円筒部２２とを備えている。
ガスケットの円筒部２２の内径は配管１の外径と同等もしくは若干小さいが、弾性があるため配管１に貫入することで拡張され密着する。
挫部２１の外径は、天井ボード２の開口部３の径より 大きい。
【００１８】
次いで、図４の仕舞プレート３０を配管１の下方から貫入する。
仕舞プレート３０は、円環状の平板からなる挫部３１と、この挫部３１の内周より下方に向かって突出された円筒部３２とをとを備えている。
仕舞プレートの円筒部３２は、挫部と反対の端部に向けて広がるＶ字の切り込みを複数有する。
仕舞プレート３２の材質は、アルミ等の金属材料である。
ガスケットの円筒部２２の外径は仕舞プレートの円筒部３２の内径より若干小さいので、ガスケットを上方に押し込むことなく仕舞プレートを装着できる。
挫部３１の外径は、ガスケットの挫部２１の外径と同等であり、ほこり溜りが生じないようになっている。
【００１９】
次いで、仕舞プレートの挫部３１は、３か所以上のビス孔が空いており、ガスケット挫部が仕上げ面に密着するようビスで仕上げ面に固定する。
【００２０】
次いで、仕舞プレートの円筒部３２の端部を内側に加締めて塑性変形させることでガスケットと貫通部を圧着させる。
【００２１】
これにより気密性を高めることが可能となる。
【００２２】
（実施の形態３）
実施の形態３は、実施の形態１の仕舞プレートとガスケットが予め接着されていることを特徴とする発明の実施の形態である。
図１、図２および図３は、実施の形態３を説明するための図である。
【００２３】
配管１を天井下地から天井下に立ち下げる。
仕上材としての天井ボード２を用いた天井ボード張り、および天井面にクロスを貼るなどの天井仕上げを行う。 
次いで、図２の仕舞プレート１０の内側に図３のガスケット２０を接着したものを配管１の下方から貫入し、ガスケットの挫部２１が天井の仕上げ面に接するまで挿入する。
【００２４】
ガスケット２０は、円環状の平板からなる挫部２１と、この挫部２１の内周より下方に向かって突出された円筒部２２とを備えている。
仕舞プレート１０は、円環状の平板からなる挫部１１と、この挫部１１の内周より下方に向かって突出された円筒部１２とを備えている。
仕舞プレートの挫部１１の外径は、ガスケットの挫部２１の外径と同等であり、ほこり溜りが生じないようになっている。
ガスケットの円筒部２２の内径は配管１の外径より若干小さいが、弾性があるため配管１に貫入することで拡張され密着する。
【００２５】
次いで、仕舞プレートの挫部１１は、３か所以上のビス孔が空いており、ガスケット挫部が仕上げ面に密着するようビスで仕上げ面に固定する。
なお、ガスケット挫部と仕上面は、施工が容易なように接着でも良い。
【００２６】
これにより実施の形態１と比べ、より容易に施工が出来る。
【符号の説明】
【００２７】
１  配管（貫通部材） 
２  天井ボード（仕上材）10
３  開口部 
７  仕上面 
１０、３０  仕舞プレート 
２０  ガスケット
【図１】
2018128087.tif 000003
【図２】
2018128087.tif 000004
【図３】
2018128087.tif 000005
【図４】
2018128087.tif 000006
【図５】
2018128087.tif 000007